(57)【特許請求の範囲】
【請求項１】
パネル体を用いて天板上の空間を仕切るテーブルにおけるパネル装置であって、
前記天板に配置される下部フレームの両端部に、上下方向に伸縮可能な側部支持部材を設けるとともに、前記パネル体を上下方向に伸縮可能なシート部材にて形成し、該パネル体の下端縁が前記下部フレームに取り付けられるとともに、該パネル体の上端両側部が前記側部支持部材の上端に支持され、前記側部支持部材を屈曲可能なバネ鋼材にて形成し、該側部支持部材は、前記下部フレームの両端部にて屈曲されて該下部フレーム内に収容されることを特徴とするテーブルにおけるパネル装置。
【請求項２】
前記側部支持部材が板状をなし、該側部支持部材は、横断平面視において湾曲されたコンベックス形状をなしていることを特徴とする請求項１に記載のテーブルにおけるパネル装置。
【請求項３】
前記下部フレームの両端部には、前記側部支持部材が挿設される孔部が形成されており、前記側部支持部材は、該側部支持部材と前記孔部との間に生じる摩擦抵抗により保持されることを特徴とする請求項１または２に記載のテーブルにおけるパネル装置。
【請求項４】
前記パネル体を形成するシート部材には、水平方向を向く屈曲部が上下方向に複数形成されており、前記各屈曲部が折り畳まれることで、前記パネル体が伸縮可能となっていることを特徴とする請求項１ないし３のいずれかに記載のテーブルにおけるパネル装置。
【請求項５】
前記パネル体の上端縁には、上部フレームが配置されていることを特徴とする請求項１ないし４のいずれかに記載のテーブルにおけるパネル装置。
【請求項６】
前記下部フレームには、粘着力を有する粘着部が設けられ、該粘着部が前記天板の上面に貼り付くことで、前記下部フレームが前記天板の上面に着脱可能に取り付けられることを特徴とする請求項１ないし５のいずれかに記載のテーブルにおけるパネル装置。
【発明の詳細な説明】
【技術分野】
【０００１】
本発明は、パネル体を用いて天板上の空間を仕切るテーブルにおけるパネル装置に関する。
【背景技術】
【０００２】
従来、多数の机（テーブル）を並べるオフィス等では、机の使用者が仕事に集中できるように、机の側面を囲むパネルが用いられたパネル付き机があり、このようなパネル付き机は、天板の側辺部または脚柱に複数のブラケットを設け、このブラケットのパネル支持部に、パネルの縦杆を上下に摺動自在に嵌合するとともに、縦杆をブラケットに対して所望の高さに段階的に保持する弾圧保持手段と、その位置にロックして停止する停止手段とを設けることで、パネルの高さを段階的に調節できるようにしている（例えば、特許文献１参照）。
【０００３】
【特許文献１】特開２００４−１３５８３３号公報（第４頁、第２図）
【発明の開示】
【発明が解決しようとする課題】
【０００４】
特許文献１に記載のパネル付き机は、机（テーブル）のパネルが高い位置に保持される遮蔽状態では、机の使用者が仕事に集中できるようになり便利である。しかしながら、オフィス等では、隣り合う机の使用者同士が顔を合わせて簡易な打ち合わせ等を行いたいという要望があり、そのような簡易な打ち合わせ等を行う際には、遮蔽状態のパネルが邪魔になるばかりか、パネルを低くするための調節も簡素な操作では行えないため、使用者同士が立ち上がって顔を合わせて打ち合わせをするしかなく、パネル付き机の使い勝手が悪くなるという問題がある。
【０００５】
本発明は、このような問題点に着目してなされたもので、簡素な構成でパネル装置を製作することができ、かつパネル体を用いて天板上の空間を遮蔽する遮蔽状態と、パネル体よりの先の空間を見渡す開放状態と、を容易に切り換えることができるテーブルにおけるパネル装置を提供することを目的とする。
【課題を解決するための手段】
【０００６】
前記課題を解決するために、本発明の請求項１に記載のテーブルにおけるパネル装置は、パネル体を用いて天板上の空間を仕切るテーブルにおけるパネル装置であって、
前記天板に配置される下部フレームの両端部に、上下方向に伸縮可能な側部支持部材を設けるとともに、前記パネル体を上下方向に伸縮可能なシート部材にて形成し、該パネル体の下端縁が前記下部フレームに取り付けられるとともに、該パネル体の上端両側部が前記側部支持部材の上端に支持され、前記側部支持部材を屈曲可能なバネ鋼材にて形成し、該側部支持部材は、前記下部フレームの両端部にて屈曲されて該下部フレーム内に収容されることを特徴としている。
この特徴によれば、シート部材にて形成されたパネル体が側部支持部材とともに上下方向に伸縮されるため、使用者は、パネル体を上方に伸ばしてパネル体を用いて天板上の空間を遮蔽する遮蔽状態と、パネル体を下方に縮めてパネル体よりの先の空間を見渡せる開放状態と、を容易に切り換えることができ、かつ遮蔽状態と開放状態の２つの状態に切り換えられるパネル装置を簡素な構成で製作することができる。そしてバネ鋼材を用いて伸縮可能な側部支持部材を容易に製作することができ、かつ側部支持部材は下方に縮められても、下部フレームの両端部にて屈曲されて下部フレーム内に収容されるため、前記開放状態にしたときにコンパクトに纏まるパネル装置を製作することができる。
【０００８】
本発明の請求項２に記載のテーブルにおけるパネル装置は、請求項１に記載のテーブルにおけるパネル装置であって、
前記側部支持部材が板状をなし、該側部支持部材は、横断平面視において湾曲されたコンベックス形状をなしていることを特徴としている。
この特徴によれば、薄くて軽量な側部支持部材を製作できるようになり、側部支持部材が下部フレームの両端部にて屈曲し易く、かつ側部支持部材が、横断平面視においてコンベックス形状をなすことで、側部支持部材が上方に伸ばされた際に、その立設強度を高めることができる。
【０００９】
本発明の請求項３に記載のテーブルにおけるパネル装置は、請求項１または２に記載のテーブルにおけるパネル装置であって、
前記下部フレームの両端部には、前記側部支持部材が挿設される孔部が形成されており、前記側部支持部材は、該側部支持部材と前記孔部との間に生じる摩擦抵抗により保持されることを特徴としている。
この特徴によれば、側部支持部材を上下方向の任意の高さで自在に保持させることができる。
【００１０】
本発明の請求項４に記載のテーブルにおけるパネル装置は、請求項１ないし３のいずれかに記載のテーブルにおけるパネル装置であって、
前記パネル体を形成するシート部材には、水平方向を向く屈曲部が上下方向に複数形成されており、前記各屈曲部が折り畳まれることで、前記パネル体が伸縮可能となっていることを特徴としている。
この特徴によれば、屈曲部が形成されたシート部材を用いて伸縮可能なパネル体を容易に製作することができ、かつパネル体が各屈曲部の折り畳みにより下方に縮められるため、前記開放状態にしたときにコンパクトに纏まるパネル装置を製作することができる。
【００１１】
本発明の請求項５に記載のテーブルにおけるパネル装置は、請求項１ないし４のいずれかに記載のテーブルにおけるパネル装置であって、
前記パネル体の上端縁には、上部フレームが配置されていることを特徴としている。
この特徴によれば、上部フレームによってシート部材にて形成されたパネル体の上端縁全体が捩れることなく張設される。
【００１２】
本発明の請求項６に記載のテーブルにおけるパネル装置は、請求項１ないし５のいずれかに記載のテーブルにおけるパネル装置であって、
前記下部フレームには、粘着力を有する粘着部が設けられ、該粘着部が前記天板の上面に貼り付くことで、前記下部フレームが前記天板の上面に着脱可能に取り付けられることを特徴としている。
この特徴によれば、下部フレームの粘着部という簡素な構成でパネル装置の天板に対する取付手段を構成することができ、パネル装置を天板に対して容易に着脱させることができる。
【発明を実施するための最良の形態】
【００１３】
本発明に係るテーブルにおけるパネル装置を実施するための最良の形態を実施例に基づいて以下に説明する。
【実施例１】
【００１４】
本発明の実施例を図面に基づいて説明すると、先ず図１は、本発明の実施例１におけるパネル装置の全体像を示す斜視図であり、図２は、パネル装置を示す分解斜視図であり、図３（ａ）は、パネル装置の遮蔽状態を示す側面図であり、図３（ｂ）は、パネル装置の開放状態を示す側面図であり、図４は、パネル装置の遮蔽状態を示す正面図であり、図５は、パネル装置の開放状態を示す正面図であり、図６は、図２における側部支持部材を示すＡ−Ａ端面図であり、図７は、パネル装置の変形例を示す斜視図である。以下、図３（ａ）及び図３（ｂ）の紙面右側をパネル装置の正面側（前方側）とし、図４及び図５の紙面手前側をパネル装置の正面側（前方側）として説明する。
【００１５】
先ず、図１の符号１は、本発明の適用されたパネル装置である。パネル装置１は、例えば、オフィス等に設置される本実施例におけるテーブルとしての机２において、天板３の前後方向の中央で左右方向に２つ（複数）取り付けられている。パネル装置１は、パネル体４を構成する本実施例におけるシート部材としての紙パネル５によって天板３上の前後の空間を遮蔽するパーティションとして使用される。尚、本実施例では、２人の使用者が机２の前後位置のそれぞれに座って使用するようになっており、後述するように、天板３上の空間をパネル装置１によって仕切ったり、開放したりして使用するようになっている。
【００１６】
図２に示すように、パネル装置１の下部には、平面視で長方形状の板体の前後方向の端縁を上方に向けて折り曲げられ、側面視で略コ字形状に形成されている下部ベース６が配置されている。
【００１７】
そして、下部ベース６の左右端部には、互いに略同一形状をなす屈曲部材７，８が取り付けられている。これら屈曲部材７，８の下部には、下部ベース６の中央に向かって突出する突出嵌合部７ａ，８ａが形成されている。更に、突出嵌合部７ａ，８ａが下部ベース６の内面に対して嵌合されるとともに、突出嵌合部７ａ，８ａが下部ベース６とネジ２７で螺着されることで、屈曲部材７，８が下部ベース６に取り付けられている。
【００１８】
屈曲部材７は、前後対称となる屈曲片７ｂ，７ｃが互いにネジ２８によって螺着されることで形成されている。これら屈曲片７ｂ，７ｃの対向面には、屈曲片７ｂ，７ｃの上面から突出嵌合部７ａの側面にかけて、所定の曲率を有する略Ｌ字形状に形成された溝条７ｄ，７ｅが形成されている。これら溝条７ｄ，７ｅは、屈曲片７ｂ，７ｃが螺着されることで本実施例における孔部としてのガイド孔７ｆを構成している。
【００１９】
同様に、屈曲部材８は前後対称となる屈曲片８ｂ，８ｃが螺着されることで形成されている。屈曲片８ｂ，８ｃの対向面には、屈曲片８ｂ，８ｃの上面から突出嵌合部８ａの側面にかけて、所定の曲率を有する略Ｌ字形状に形成された溝条８ｄ，８ｅが形成されている。これら溝条８ｄ，８ｅは、屈曲片８ｂ，８ｃが螺着されることで本実施例における孔部としてのガイド孔８ｆを構成している。尚、ガイド孔８ｆの突出嵌合部８ａ側面での開口は、ガイド孔７ｆの突出嵌合部７ａ側面での開口よりも若干下方位置に配置されるように形成されている。
【００２０】
更に、ガイド孔７ｆ，８ｆの突出嵌合部７ａ，８ａ側面の開口には、それぞれ側部支持部材９，９が挿通されている。これら突出嵌合部７ａ，８ａ側面の開口に挿通された側部支持部材９，９の先端部は、ガイド孔７ｆ，８ｆ内を屈曲しながら通過して、屈曲部材７，８の上面の開口から上方に向けて延設されている。
【００２１】
つまり、側部支持部材９，９は、屈曲部材７，８上面の開口から上方に向かって延設されている垂直方向側と、突出嵌合部７ａ，８ａ側面の開口から下部ベース６の左右方向側に延設される左右方向側と、に屈曲部材７，８によって区分されている。
【００２２】
尚、図６に示すように、側部支持部材９は、横断平面視において湾曲された略コンベックス形状に形成されている。この側部支持部材９は、薄い２枚の金属板１０を向かい合わせて貼り付けることで形成されている。また、金属板１０はバネ性が高められた金属部材であるバネ鋼材により形成されており、そのため金属板１０は容易に屈曲が可能となっている。そして、側部支持部材９は、金属板１０の湾曲が外方に向かって突出されるように形成されている。
【００２３】
また、図２に示すように、下部ベース６内には、平面視で長方形状の板体の前後方向の端縁が下方に向けて折り曲げられ、側面視で略コ字形状に形成されるガイド部材１１が配置されている。このガイド部材１１は、前述した左右方向側に延設されている側部支持部材９，９同士の当接を回避する部材である。
【００２４】
具体的には、ガイド部材１１の上面には、突出嵌合部７ａから延設された側部支持部材９の左右方向側が左右方向にスライド可能に配置されている。更に、突出嵌合部８ａ延設された側部支持部材９の左右方向側は、ガイド部材１１の内側面下方である下部ベース６の上面を左右にスライド可能に配置されている。
【００２５】
つまり、これら側部支持部材９，９は、左右方向側でガイド部材１１の上面及び下部ベース６の上面で左右にスライドすることによって、垂直方向側が上下方向に伸縮可能となっている。
【００２６】
尚、側部支持部材９，９の左右方向側の先端部近傍の前後端縁には、ストッパー１２，１２が設けられている。このストッパー１２，１２は、側部支持部材９，９の垂直方向側が上方に伸展すると、突出嵌合部７ａ，８ａ側面に当接するようになっており、パネル装置１の遮蔽状態の最大高さを規定しているとともに、側部支持部材９，９の抜け止めとなっている。
【００２７】
そして、下部ベース６には、平面視で長方形状の板体の前後方向の端縁を下方に向けて折り曲げられ、側面視で略コ字形状に形成されるカバー体１３が上方より被覆される。このカバー体１３は、長手方向（左右方向）の長さが下部ベース６と同一に形成されており、端手方向（前後方向）の内側面によって下部ベース６の外側面を被覆して、下部ベース６に取り付けられる。
【００２８】
尚、下部ベース６と、屈曲部材７，８と、ガイド部材１１と、カバー体１３は、本実施例における下部フレーム１４を構成している。つまり、側部支持部材９，９の左右方向側は、下部フレーム１４内部に収納されるようになっている。
【００２９】
また、屈曲部材７，８の下面には粘着力を有する本実施例における粘着部としての粘着シート１５が取り付けられている。この粘着シート１５は、高粘着力であるとともに着脱が可能であるポリウレタンゲル等を板状に形成した部材である。パネル装置１は、この粘着シート１５を机２の天板３上に貼り付けることによって、天板３上で安定的に立設されている。
【００３０】
また、側部支持部材９，９の垂直方向側の先端部には、略直方体形状の連結部材１６，１６が取り付けられている。具体的には、連結部材１６の下面に側部支持部材９の上端部が挿通される挿通孔１６ａが形成されており、この挿通孔１６ａに挿通された側部支持部材９の上端部には、連結部材１６の側方より挿通されたネジ２９によって、連結部材１６が螺着されている。
【００３１】
更に、連結部材１６，１６間には、上方から上部フレーム１７が取り付けられる。この上部フレーム１７は、平面視で長方形状の板体の前後方向の端縁が下方に向けて折り曲げられ、側面視で略コ字形状に形成されている。上部フレーム１７は、長手方向（左右方向）の長さが連結部材１６，１６の外側面間の長さよりも長く形成されており、幅方向（前後方向）の内面間の長さは、連結部材１６，１６の前後方向の長さと略同一に形成されている。
【００３２】
このため、連結部材１６，１６は上部フレーム１７の内方で前後方向の移動が規制されるとともに、上部フレーム１７の上方からネジ３０によって螺着されることで、連結部材１６，１６に上部フレーム１７が取り付けられる。
【００３３】
次に、パネル装置１に取り付けられる紙パネル５は、図１及び図３（ａ）に示すように、水平方向を向く屈曲部５ａが上下方向に等間隔に複数形成されるように九十九折に折られた蛇腹構造を成している。この蛇腹構造によって、紙パネル５は上下方向に伸縮可能となっている。そして、図４に示すように、屈曲部５ａによって区切られた紙パネル５の各面の左右端には、側部支持部材９が挿通可能な大きさの貫通孔５ｂ，５ｂが設けられている。
【００３４】
この紙パネル５の上端縁は、上部フレーム１７の内側下面に接着剤等により接着されており、更に、連結部材１６，１６と上部フレーム１７に上端部左右を挟まれることによって取り付けられている。
【００３５】
紙パネル５をパネル装置１に取り付ける際には、先ず紙パネル５の上端部を上部フレーム１７と連結部材１６，１６に取り付けて、左右端に設けられた貫通孔５ｂ，５ｂに、屈曲部材７，８上面から延設されている側部支持部材９，９の先端部を下方から挿通させる。
【００３６】
そして、側部支持部材９，９の上端部が連結部材１６，１６の挿通孔１６ａ，１６ａに取り付けられ後に、紙パネル５の下端縁をカバー体１３の上面に接着剤等により接着する。このように、紙パネル５の上端縁と下端縁を上部フレーム１７及びカバー体１３に接着することで、紙パネル５のパネル装置１への取り付けが完了する。尚、紙パネル５の下端部左右は、図４に示すように、屈曲部材７，８に当接することを防ぐために、切欠５ｃ，５ｃが形成されている。
【００３７】
次に、パネル装置１の遮蔽状態と開放状態の切り換えについて説明する。図３（ａ）及び図４に示すように、パネル装置１の側部支持部材９，９は上方に向かって限界高さまで伸展されている。このとき、紙パネル５は貫通孔５ｂ，５ｂに挿通された側部支持部材９，９に沿ってガイドされて上方に向けて伸展されている。
【００３８】
また、遮蔽状態では、側部支持部材９，９と、ガイド孔７ｆ，８ｆの内面と、の間に摩擦力（摩擦抵抗）が発生している。この摩擦力によって側部支持部材９，９は上部フレーム１７と連結部材１６，１６の荷重を支持するとともに、遮蔽状態の所定高さを維持している。
【００３９】
パネル装置１を遮蔽状態から開放状態にするには、先ず、上部フレーム１７を把持し、下方に向かって力を加える。このとき、側部支持部材９，９に上方から加わる力が、側部支持部材９，９とガイド孔７ｆ，８ｆの内面間の最大摩擦力を超えることにより、遮蔽状態から開放状態への切り換えが開始される。
【００４０】
具体的には、図３（ｂ）及び図５に示すように、側部支持部材９，９の垂直方向側の長さが短くなるとともに、側部支持部材９，９の左右方向側が下部フレーム１４の中央位置に向けてスライド移動される。
【００４１】
同時に、紙パネル５は貫通孔５ｂ，５ｂに挿通された側部支持部材９，９に沿って縮小される。このとき、紙パネル５は蛇腹構造となっているため、屈曲部５ａで折り畳まれてコンパクトに纏めることができる。
【００４２】
尚、パネル装置１を開放状態から遮蔽状態に切り換えるには、上部フレーム１７を把持した後、上方に向けて力を加えることで、側部支持部材９，９の垂直方向側及び紙パネル５を上方に伸展させる。
【００４３】
尚、図７に示す変形例ように、机２の天板３には、パネル装置１を取り付けるための嵌合溝１８が形成されていてもよい。例えば、嵌合溝１８は長手方向（左右方向）及び幅方向（前後方向）の長さを、下部フレーム１４の長手方向（左右方向）及び幅方向（前後方向）の長さと略同一に形成する。更に、嵌合溝１８の深さを屈曲部材７，８の高さと略同一に形成することで、下部フレーム１４を天板３の上面から隠蔽し、机２の見栄えを向上させることができ、かつパネル装置１と机２とを一体的な構成とすることができる。
【００４４】
以上、本実施例におけるパネル装置１では、天板３に配置される下部フレーム１４の両端部に、上下方向に伸縮可能な側部支持部材９，９を設けるとともに、パネル体４を上下方向に伸縮可能な紙パネル５にて形成し、パネル体４の下端縁が下部フレーム１４に取り付けられるとともに、パネル体４の上端両側部が側部支持部材９，９の上端に支持されることで、紙パネル５にて形成されたパネル体４が側部支持部材９，９とともに上下方向に伸縮されるため、使用者は、パネル体４を上方に伸ばしてパネル体４を用いて天板３上の空間を遮蔽する遮蔽状態と、パネル体４を下方に縮めてパネル体４よりの先の空間を見渡せる開放状態と、を容易に切り換えることができ、かつ遮蔽状態と開放状態の２つの状態に切り換えられるパネル装置１を簡素な構成で製作することができる。
【００４５】
また、側部支持部材９，９を屈曲可能なバネ鋼材にて形成し、側部支持部材９，９は、下部フレーム１４の両端部にて屈曲されて下部フレーム１４内に収容されることで、バネ鋼材を用いて伸縮可能な側部支持部材９，９を容易に製作することができ、かつ側部支持部材９，９は下方に縮められても、下部フレーム１４の屈曲部材７，８にて屈曲されて下部フレーム１４内に収容されるため、前記開放状態にしたときにコンパクトに纏まるパネル装置１を製作することができる。
【００４６】
また、側部支持部材９，９が板状をなし、側部支持部材９，９は、横断平面視において湾曲されたコンベックス形状をなしているので、薄くて軽量な側部支持部材９，９を製作できるようになり、側部支持部材９，９が下部フレームの屈曲部材７，８にて屈曲し易く、かつ側部支持部材９，９が、横断平面視においてコンベックス形状をなすことで、側部支持部材９，９が上方に伸ばされた際に、その立設強度を高めることができる。
【００４７】
また、下部フレーム１４の屈曲部材７，８には、側部支持部材９，９が挿設されるガイド孔７ｆ，８ｆが形成されており、側部支持部材９，９は、側部支持部材９，９とガイド孔７ｆ，８ｆとの間に生じる摩擦抵抗により保持されるので、側部支持部材９，９を上下方向の任意の高さで自在に保持させることができる。
【００４８】
また、パネル体４を形成する紙パネル５には、水平方向を向く屈曲部５ａが上下方向に複数形成されており、各屈曲部５ａが折り畳まれることで、パネル体４が伸縮可能となっているので、屈曲部５ａが形成された紙パネル５を用いて伸縮可能なパネル体４を容易に製作することができ、かつパネル体４が各屈曲部５ａの折り畳みにより下方に縮められるため、開放状態にしたときにコンパクトに纏まるパネル装置１を製作することができる。
【００４９】
また、パネル体４の上端縁には、上部フレーム１７が配置されているので、上部フレーム１７によって紙パネル５にて形成されたパネル体４の上端縁全体が捩れることなく張設される。
【００５０】
また、下部フレーム１４には、粘着力を有する粘着シート１５が設けられ、粘着シート１５が天板３の上面に貼り付くことで、下部フレーム１４が天板３の上面に着脱可能に取り付けられるので、下部フレーム１４の粘着シート１５という簡素な構成でパネル装置１の天板３に対する取付手段を構成することができ、パネル装置１を天板３に対して容易に着脱させることができる。
【実施例２】
【００５１】
次に、実施例２に係るパネル装置につき、図８、図９（ａ）、図９（ｂ）を参照して説明する。尚、前記実施例に示される構成部分と同一構成部分に付いては同一符号を付して重複する説明を省略する。図８は、実施例２におけるパネル装置の遮蔽状態を示す斜視図であり、図９（ａ）は、パネル装置の遮蔽状態を示す側面図であり、図９（ｂ）は、パネル装置の開放状態を示す側面図である。以下、図９（ａ）及び図９（ｂ）の紙面右側をパネル装置の正面側（前方側）として説明する。
【００５２】
図８及び図９（ａ）に示すように、パネル装置１９には上下方向に複数の遮光板２０が連設されている。具体的には、これら遮光板２０は樫等の木材や、アルミ等の軽金属により形成された薄い板体である。また、遮光板２０の左右端部には、貫通孔２０ａ，２０ａが設けられており、これら貫通孔２０ａ，２０ａには、側部支持部材９，９が下方より挿通されている。
【００５３】
更に、左右の連結部材１６，１６には、それぞれ一本の吊紐２１が吊下されている。この吊紐２１は、パネル装置１９の遮蔽状態の最大高さよりも短い紐であり、上下方向に連設された全ての遮光板２０の後端部に係止されている。このため、遮光板２０は、吊紐２１の張力によって後端部から先端部にかけて、下方に傾斜を成すように吊り上げられた状態となっている。
【００５４】
図９（ａ）に示す遮蔽状態から図９（ｂ）に示す開放状態に切り換えるには、実施例１と同じように、上部フレーム１７を把持し、下方に向かって力を加える。このとき、側部支持部材９，９の垂直方向側の長さが短くなることによって、下方に設けられた遮光板２０から順次屈曲部材７，８上面に配置される。
【００５５】
そして、図９（ｂ）に示すように、屈曲部材７，８上面に重ねて配置された複数の遮光板２０は、パネル装置１９の開放状態では、左右端部の上下を連結部材１６，１６と、屈曲部材７，８によって挟持される。
【実施例３】
【００５６】
次に、実施例３に係るパネル装置につき、図１０、図１１、図１２を参照して説明する。尚、前記実施例に示される構成部分と同一構成部分に付いては同一符号を付して重複する説明を省略する。図１０は、実施例３におけるパネル装置の遮蔽状態を示す斜視図であり、図１１は、パネル装置を示す縦断側面図であり、図１２は、図１１における下部フレームを示すＢ−Ｂ断面図である。以下、図１１の紙面右側をパネル装置の正面側（前方側）とし、図１２の紙面手前側をパネル装置の正面側（前方側）とする。
【００５７】
図１０及び図１１に示すように、パネル装置２２における側部支持部材２３，２３の側面の長手方向には、全長に亘って無数の係止孔２３ａが形成されている。また、下部フレーム１４には、公知のロールスクリーン２４が取り付けられている。このロールスクリーン２４は、中心軸２４ａに布製のスクリーン生地２４ｂを巻回して形成されており、中心軸２４ａは屈曲部材７，８間で回動可能に支持されている。
【００５８】
更に、このロールスクリーン２４には、特に図示しないが、引き出したスクリーン生地２４ｂを所定の位置で固定するとともに、再度スクリーン生地２４ｂを引き出すとスクリーン生地２４ｂを巻き取るための図示しない巻取機構が取り付けられている。尚、スクリーン生地２４ｂの端縁部左右は、上部フレーム１７の内側面と連結部材１６，１６の上面によって挟持されている。
【００５９】
図１１及び図１２に示すように、ガイド部材２５の左右方向中央には、上下方向に貫通する貫通孔２５ａが形成されている。この貫通孔２５ａには、ギア２６がシャフト２６ａによって左右方向に回動可能に軸支されている。また、このギア２６は、側部支持部材２３，２３の垂直方向側が上下方向に伸縮される際に、側部支持部材２３，２３の伸縮される長さを同期させるために軸支されている。
【００６０】
具体的には、このギア２６の歯２６ｂは、側部支持部材２３，２３の係止孔２３ａに連続して係止可能なように等間隔に設けられている。このため、パネル装置２２の遮蔽状態と開放状態が切り換えられる際に、側部支持部材２３，２３の一方が左右方向にスライドすると、側部支持部材２３の左右方向側の係止孔２３ａに歯２６ｂが係止されているギア２６が、スライド方向に回動する。
【００６１】
そして、ギア２６の歯２６ｂが他方の側部支持部材２３の係止孔２３ａに係止することで、ギア２６の回動が他方の側部支持部材２３に伝達される。このため、側部支持部材２３，２３は伸縮される長さを同期させることができる。
【００６２】
更に、貫通孔２５ａの右方には、ガイド部材２５の上面から上方に突部２５ｂが設けられている。同じく、貫通孔２５ａの左方には、ガイド部材２５の内側下面から下方に突部２５ｂが設けられている。
【００６３】
尚、側部支持部材２３，２３の左右方向側の先端部には、ガイド部材２５に設けられた突部２５ｂ，２５ｂに係止するストッパー２３ｂ，２３ｂが設けられている。これらストッパー２３ｂ，２３ｂは、突部２５ｂ，２５ｂに係止することにより、パネル装置２２の遮蔽状態の最大高さを規定するとともに、ギア２６の歯２６ｂが常時側部支持部材２３，２３の係止孔２３ａ，２３ａに係止できるようになっている。
【００６４】
以上、本発明の実施例を図面により説明してきたが、具体的な構成はこれら実施例に限られるものではなく、本発明の要旨を逸脱しない範囲における変更や追加があっても本発明に含まれる。
【００６５】
例えば、前記実施例１では、パネル装置１を天板３の前後方向の中央で左右方向に複数取り付けられる装置として説明したが、天板３の形状によっては、パネル装置１の左右端部が机２の前後に向くように取り付けるなど、適宜取り付ける配置を変更してもよい。
【００６６】
また、前記実施例１では、シート部材を紙パネル５として説明したが、パネル装置１を取り付ける天板３が設けられた机２の設置される環境によっては、シート部材をビニール材や布材等で構成してもよい。
【図面の簡単な説明】
【００６７】
【図１】実施例１におけるパネル装置の全体像を示す斜視図である。
【図２】パネル装置を示す分解斜視図である。
【図３】（ａ）は、パネル装置の遮蔽状態を示す側面図であり、（ｂ）は、パネル装置の開放状態を示す側面図である。
【図４】パネル装置の遮蔽状態を示す正面図である。
【図５】パネル装置の開放状態を示す正面図である。
【図６】図２における側部支持部材を示すＡ−Ａ端面図である。
【図７】パネル装置の変形例を示す斜視図である。
【図８】実施例２におけるパネル装置の遮蔽状態を示す斜視図である。
【図９】（ａ）は、パネル装置の遮蔽状態を示す側面図であり、（ｂ）は、パネル装置の開放状態を示す側面図である。
【図１０】実施例３におけるパネル装置の遮蔽状態を示す斜視図である。
【図１１】パネル装置を示す縦断側面図である。
【図１２】図１１における下部フレームを示すＢ−Ｂ断面図である。
【符号の説明】
【００６８】
１                パネル装置
２                机（テーブル）
３                天板
４                パネル体
５                紙パネル（シート部材）
５ａ              屈曲部
６                下部ベース
７                屈曲部材
７ａ              突出嵌合部
７ｂ，７ｃ        屈曲片
７ｆ              ガイド孔（孔部）
８                屈曲部材
８ａ              突出嵌合部
８ｂ，８ｃ        屈曲片
８ｆ              ガイド孔（孔部）
９                側部支持部材
１１              ガイド部材
１３              カバー体
１４              下部フレーム
１５              粘着シート（粘着部）
１７              上部フレーム
１９              パネル装置
２０              遮光板
２１              吊紐
２２              パネル装置
２３              側部支持部材
２３ａ            係止孔
２４              ロールスクリーン
２４ｂ            スクリーン生地
２５              ガイド部材
２５ａ            貫通孔
２６              ギア
【図１】
0005355902.tif 000002
【図２】
0005355902.tif 000003
【図３】
0005355902.tif 000004
【図４】
0005355902.tif 000005
【図５】
0005355902.tif 000006
【図６】
0005355902.tif 000007
【図７】
0005355902.tif 000008
【図８】
0005355902.tif 000009
【図９】
0005355902.tif 000010
【図１０】
0005355902.tif 000011
【図１１】
0005355902.tif 000012
【図１２】
0005355902.tif 000013